(57)【要約】【課題】組立時の制御基板の浮き上がり等を抑制し、組立作業性に優れるレンズ鏡筒を提供する。【解決手段】カメラ本体１に対して着脱可能なマウント部材２０１と、マウント部材２０１に固定され、カメラ本体１と電気的に接続する電気接点部材２０２ａと、電気接点部材２０２ａを介してカメラ本体１と電気的に接続される制御基板２０３と、マウント部材２０１が固定される固定筒２０４と、を備え、制御基板２０３の外周には突出部２０３ｂが設けられ、固定筒２０４には突出部２０３ｂと係合する周溝部２０４ｂが設けられており、突出部２０３ｂと周溝部２０４ｂが嵌合することを特徴とするレンズ鏡筒。【選択図】図３
2015219426.tif 000002
【特許請求の範囲】
【請求項１】
カメラ本体に対して着脱可能なマウント部材と、
前記マウント部材に固定され、前記カメラ本体と電気的に接続する電気接点部材と、
前記電気接点部材を介して前記カメラ本体と電気的に接続される制御基板と、
前記マウント部材が固定される固定筒と、を備え、
前記制御基板の外周には突出部が設けられ、前記固定筒には前記突出部と係合する周溝部が設けられており、前記突出部と前記周溝部が嵌合することを特徴とするレンズ鏡筒。
【請求項２】
前記制御基板の前記突出部は、前記固定筒の前記周溝部に回転により挿入されることを特徴とする請求項１に記載のレンズ鏡筒。
【請求項３】
前記制御基板に実装されたコネクタに接続される複数のフレキシブルプリント配線基板をさらに備え、
前記制御基板は、前記フレキシブルプリント配線基板の少なくとも１つと係合する切り欠き部を有することを特徴とする請求項１または２に記載のレンズ鏡筒。 
【請求項４】
前記マウント部材は前記制御基板に向かって延伸する軸部を備え、
前記制御基板は、前記マウント部材が前記固定筒に固定された際に、前記軸部と係合する穴部、または切り欠き部を有することを特徴とする請求項１ないし３のいずれか１項に記載のレンズ鏡筒。 
【請求項５】
前記制御基板と前記固定筒とは、前記回転により前記突出部が前記周溝部に挿入された際に、前記制御基板に設けた穴部または切り欠き部と、前記固定筒に設けた光軸方向に延伸する突起部または穴部とにそれぞれ係合する回転止め部材を備えることを特徴とする請求項２ないし４のいずれか１項に記載のレンズ鏡筒。
【請求項６】
前記制御基板に設けた前記切り欠き部と係合する前記フレキシブルプリント配線基板は、その係合部において補強板を備えることを特徴とする請求項３ないし５のいずれか１項に記載のレンズ鏡筒。
【請求項７】
請求項１ないし６のいずれか１項に記載のレンズ鏡筒と、
前記レンズ鏡筒により形成された被写体像を光電変換する撮像素子を有する前記カメラ本体と、を有することを特徴とする光学機器。
【発明の詳細な説明】
【技術分野】
【０００１】
本発明は、レンズ鏡筒およびそれを有する光学機器に関する。
【背景技術】
【０００２】
従来、デジタル一眼カメラ用のレンズ鏡筒(交換レンズ)の内部には、オートフォーカスや絞り駆動を行う制御回路等が構成されている制御基板がマウント近傍に配置されている。この制御回路は、マウント部材に配置した電気的な接点を通じてカメラ本体と電源の供給や通信などを行っている。上述した制御基板は、レンズ鏡筒内部のスペース効率やコスト等の観点から、光学系を避けるように、円環形状に形成された硬質プリント基板が用いられることが多い。固定方法としては、固定筒に対して位置決めされた制御基板を、ビス止めする方法が知られている。制御基板を固定筒にビス止めする場合、制御基板は、金属製の電気接点部材が複数本インサート成形されている樹脂製の接点ブロックとフレキシブルプリント配線基板を介して電気的に接続される。これに対して、特許文献１および特許文献２では、部品点数削減のため、上述したフレキシブルプリント配線基板を廃して、制御基板に接点ブロックを直接はんだで接続し、マウントに制御基板を固定する構成が開示されている。
【０００３】
制御基板と接点ブロックがフレキシブルプリント配線基板を介さずに直接はんだで接続されるようなレンズ鏡筒では、制御基板を固定筒にビスで固定すると、制御基板と接点ブロックのはんだ付け部にストレスが加わり接続不良が生じる可能性がある。特許文献１および特許文献２では、制御基板は、固定筒に固定されていない。
【先行技術文献】
【特許文献】
【０００４】
【特許文献１】特開２００４−７７９１９号公報
【特許文献２】特開２００４−１０１７２５号公報
【発明の概要】
【発明が解決しようとする課題】
【０００５】
しかしながら、制御基板が固定筒にビスで固定されていないレンズ鏡筒では、制御基板に実装されたコネクタにフレキシブルプリント配線基板を接続すると、フレキシブルプリント配線基板の反力で制御基板が浮き上がる可能性がある。制御基板が浮き上がった状態では、別のフレキシブルプリント配線基板の接続時の組立作業性が低下する。
【０００６】
本発明は、このような状況を鑑みてなされたものであり、例えば、組立時の制御基板の浮き上がり等を抑制し、組立作業性に優れるレンズ鏡筒を提供することを目的とする。
【課題を解決するための手段】
【０００７】
上記課題を解決するために、本発明のレンズ鏡筒は、カメラ本体に対して着脱可能なマウント部材と、マウント部材に固定され、カメラ本体と電気的に接続する電気接点部材と、電気接点部材を介してカメラ本体と電気的に接続される制御基板と、マウント部材が固定される固定筒と、を備え、制御基板の外周には突出部が設けられ、固定筒には突出部と係合する周溝部が設けられており、突出部と周溝部が嵌合することを特徴とする。
【発明の効果】
【０００８】
本発明によれば、例えば、組立時の制御基板の浮き上がりを抑制し、組立作業性に優れるレンズ鏡筒を提供することができる。
【図面の簡単な説明】
【０００９】
【図１】本発明の第１実施形態に係るレンズ鏡筒を適用可能な一眼レフカメラの構成を示す断面図である。
【図２】図１に示す撮像装置の電気的構成を示すブロック図である。
【図３】第１実施形態に係るレンズ鏡筒の構成例を示す図である。
【図４】第1実施形態に係るレンズ鏡筒の制御基板組込時の平面図である。
【図５】第1実施形態に係るレンズ鏡筒の断面図である。
【図６】本発明の第２実施形態に係るレンズ鏡筒の構成例を示す図である。
【発明を実施するための形態】
【００１０】
以下、本発明を実施するための形態について図面などを参照して説明する。
【００１１】
（第１実施形態）
まず、本発明の第１実施形態に係るレンズ鏡筒を適用可能な撮像装置（光学機器）について説明する。ここでは、このような撮像装置の一例として、レンズ交換式デジタル一眼レフカメラを挙げる。図１は、本発明の第１実施形態に係るレンズ鏡筒を搭載したレンズ交換式デジタル一眼レフカメラの構成を示す断面図である。図１に示すように、レンズ交換式デジタル一眼レフカメラは、カメラ本体１と、レンズ鏡筒（交換レンズ）２００とを備える。カメラ本体（カメラ装置）１は、撮像素子６、メモリ７、レリーズボタン１１、クイックリターンミラー１３、およびファインダ光学系１４を備える。撮像素子６は、光学系２により形成された被写体像を光電変換するＣＣＤセンサやＣＭＯＳセンサ等を含む。メモリ７は、撮像素子６からの出力に基づいて生成された画像データ等を記憶する。また、電源１０は、カメラ本体１およびレンズ鏡筒２００の電源である。レンズ鏡筒２００は、カメラ本体１に対して着脱可能である。なお、レンズ鏡筒２００は、図１に示すようなカメラのみならず、撮像素子を備えたデジタルスチルカメラ、ビデオカメラ、または銀塩フィルムを使用するスチルカメラなどの撮像装置に対して着脱可能なレンズ鏡筒とする。ただし、レンズ鏡筒２００は、撮像装置に内蔵するものであってもよいし、撮像装置に限らず、例えばいわゆるプロジェクターなどの投射装置に着脱するレンズ鏡筒、または投射装置に内蔵するものであってもよい。
【００１２】
このようなレンズ鏡筒２００は、光学系２、防振駆動部３、振れセンサ８、フォーカス駆動部９、マウント部材２０１、制御基板２０３、および固定筒（固定鏡筒、固定部材）２０４、を備える。光学系２は、レンズ鏡筒２００内に設けられ、複数のレンズユニットを有する。防振駆動部３は、光学系２に含まれる防振レンズユニット１２を、光学系２の光軸４に直交する方向に駆動する。固定筒２０４は、光学系２を収容する。振れセンサ８は、手振れ等を検出する。フォーカス駆動部９は、光学系２に含まれるフォーカスレンズユニットを駆動する。マウント部材２０１は、カメラ本体１にレンズ鏡筒２００を着脱可能に装着する。制御基板２０３には、レンズシステム制御回路が構成されている。固定筒２０４は、マウント部材２０１を固定する。なお、マウント部材２０１、制御基板２０３、および固定筒２０４の構成および保持構造については後述する。
【００１３】
次に図２を参照して、カメラ本体１およびレンズ鏡筒２００の電気的構成について説明する。カメラは、撮像系、画像処理系、記録再生系および制御系を有する。撮像系は、撮像素子６により構成されている。画像処理系は、Ａ／Ｄ変換器２０および画像処理回路２１を含む。記録再生系は、記録処理回路２３およびメモリ７を含む。制御系は、カメラシステム制御回路２５、ＡＦセンサ２６、ＡＥセンサ２７、および操作検出回路２９を含む。レンズ鏡筒２００は、振れセンサ８、およびレンズシステム制御回路３０を含む。画像処理回路２１は、Ａ／Ｄ変換器２０を介して撮像素子６から受けた出力信号に対してホワイトバランス、ガンマ補正、補間演算等の各種処理を施して画像データを生成する。記録処理回路２３は、メモリ７への画像データの記録処理を行うとともに、液晶モニタ等により構成される表示部２２に出力する画像を生成する。操作検出回路２９は、レリーズボタン１１等の操作部材の操作を検出し、操作検出信号をカメラシステム制御回路２５に送る。カメラシステム制御回路２５は、操作検出信号に応じてカメラ本体１およびレンズ鏡筒２００内の各部を制御する。ＡＦセンサ２６は、レンズ鏡筒２００のピント状態を検出する。また、ＡＥセンサ２７は、被写体の輝度を検出する。振れセンサ８は、カメラ振れを検出する。カメラシステム制御回路２５は、ＡＦセンサ２６、ＡＥセンサ２７および振れセンサ８からの信号に基づいて、フォーカシング、絞りおよび防振動作を制御するための信号をレンズシステム制御回路３０に出力する。レンズシステム制御回路３０は、カメラシステム制御回路２５からの信号に応じて、フォーカス駆動部９、絞り駆動部（不図示）および防振駆動部３を制御する。
【００１４】
次に、本発明の第１実施形態に係るレンズ鏡筒のマウント部材２０１、制御基板２０３、および固定筒２０４の構成および保持構造について図３〜５を参照して詳しく説明する。図５は、本発明の第１実施形態に係るレンズ鏡筒２００を、光軸を通る面で切断したときの要部断面図である。マウント部材２０１には、カメラ本体１とレンズ鏡筒２００との間で通信を行うための金属製の電気接点部材２０２ａが複数本インサート成形されている樹脂製の接点ブロック部材２０２がネジにより取り付けられている。接点ブロック部材２０２には、制御基板２０３が穴部２０３ａで電気接点部材２０２ａとはんだによって直接固定されている。マウント部材２０１は、固定筒２０４にネジにより取り付けられている。固定筒２０４は、変倍（ズーミング）および焦点調節（フォーカス）に際して不動である。
【００１５】
ここで、図３および図４を参照して、制御基板２０３と固定筒２０４の保持構造について説明する。図３（ａ）は、本実施系形態に係るレンズ鏡筒２００の要部平面図であり、図３（ｂ）は、図３（ａ）のＡ‐Ａ断面を示している。図３では、図５で示したマウント部材２０１を固定筒２０４に取り付ける前の断面図を示している。図４は、制御基板２０３を固定筒２０４に組込む際の図を示しており、すなわち図３（ａ）の状態になる前の図を示している。図４に示すように、制御基板２０３の外周には、光軸４から離れる方向に突出した２つの突出部２０３ｂを備える。固定筒２０４は、制御基板２０３の突出部２０３ｂよりも幅が広く、かつ外径が大きい切り欠き部２０４ａを有する。固定筒２０４の切り欠き部２０４ａと制御基板２０３の突出部２０３ｂとの重なった位相が制御基板２０３の組込み位相である。図３（ｂ）に示すように、固定筒２０４は、制御基板２０３の突出部２０３ｂの外径よりも大きく、かつ突出部２０３ｂと嵌合する周溝部２０４ｂを有している。なお、周溝部２０４ｂは、切り欠き部２０４ａとつながっている。図４の状態から制御基板２０３を光軸回りに回転させると、制御基板２０３の突出部２０３ｂが固定筒２０４の周溝部２０４ｂに挿入（収納）され、図３（ａ）の状態となる。したがって、制御基板２０３の光軸方向の位置が決まる。ただし、制御基板２０３は、マウント部材２０１に後で固定されるため、制御基板２０３と接点ブロック部材２０２とのはんだ付け部にストレスが加わらないにように、挿入時に０．１〜０．３ｍｍ程度のガタを有することが好ましい。
【００１６】
次に、制御基板２０３に実装されたコネクタ２０５ａ〜２０５ｅと、レンズ鏡筒２００内部のアクチュエータ等と接続され、引き回されたフレキシブルプリント配線基板２０６ａ〜２０６ｅとがそれぞれ接続される。まずコネクタ２０５ａとフレキシブルプリント配線基板２０６ａとが接続される。ここで、フレキシブルプリント配線基板２０６ａは、コネクタ２０５ａに向かって略９０度屈曲している。このため、従来のように制御基板が固定筒に固定されていない構成では、コネクタ２０５ａに接続することにより、フレキシブルプリント配線基板には制御基板２０３と一体的に光軸方向に浮き上がろうとする力が働く。しかし、本実施形態によれば、制御基板２０３の突出部２０３ｂは、固定筒２０４の周溝部２０４ｂに挿入されているため、制御基板２０３が浮き上がることを抑制できる。したがって、他のフレキシブルプリント配線基板２０６ｂ〜２０６ｅをコネクタ２０５ｂ〜２０５ｅにそれぞれ接続する作業が行い易くなり、組立作業性が向上する。
【００１７】
さらに、制御基板２０３は、切り欠き部２０３ｃを備え、フレキシブルプリント配線基板２０６ａをコネクタ２０５ａに接続した際に、切り欠き部２０３ｃとフレキシブルプリント配線基板２０６ａとを係合させる。これにより、制御基板２０３は、光軸回りの回転（移動）を抑制され、他のフレキシブルプリント配線基板２０６ｂ〜２０６ｅをコネクタ２０５ｂ〜２０５ｅに接続する作業がさらに行い易くなる。
【００１８】
また、フレキシブルプリント配線基板２０６ａは、制御基板２０３との係合部において補強板２０６ｆを備える。これにより、制御基板２０３の切り欠き部２０３ｃがフレキシブルプリント配線基板２０６ａに当接することにより発生し得るフレキシブルプリント配線基板２０６ａの断線の可能性を軽減させることができる。
【００１９】
次に、マウント部材２０１が固定筒２０４に取り付けられた際のマウント部材２０１と制御基板２０３との関係について図５を参照して説明する。マウント部材２０１は、光軸方向に延伸する係合突起（軸部）２０１ａを有しており、制御基板２０３は、この係合突起２０１ａと係合する係合穴２０３ｄを有する。マウント部材２０１を固定筒２０４に取り付けることにより、図５に示したように係合突起２０１ａと係合穴２０３ｄとは係合する。例えば、レンズ鏡筒２００を落下させた際に、制御基板２０３には、慣性で固定筒２０４に対して相対的に移動しようとする力が働く。マウント部材２０１と制御基板２０３の係合部とでこの力を受けることにより、フレキシブルプリント配線基板２０６（ａ）と制御基板２０３の係合部とに力が加わることを抑制する。これにより、フレキシブルプリント配線基板２０６ａの断線の可能性をさらに軽減させることができる。
【００２０】
以上のように、本実施形態によれば、制御基板を固定筒に固定することにより、光軸方向の制御基板の浮き上がり（移動）を抑制したうえで、フレキシブルプリント配線基板の接続等その後の組立作業を行うことができる。したがって、組立作業性に優れるレンズ鏡筒および光学機器を提供することができる。
【００２１】
（第２実施形態）
次に、本発明の第２実施形態に係るレンズ鏡筒について説明する。第１実施形態では、制御基板２０３に設けた切り欠き部２０３ｃと固定筒２０４から引き出されたフレキシブルプリント配線基板２０６ａとが係合することにより、制御基板２０３の光軸回りの回転が抑制された。これに対して、本実施形態に係るレンズ鏡筒では、回転止め部材を用いることで制御基板の光軸回りの回転を抑制する点が第１実施形態と異なる点である。図６は、本発明の第２実施形態に係るレンズ鏡筒の構成例を示す図であって、図６（ａ）は平面図であり、図６（ｂ）は図６（ａ）のＢ−Ｂ断面図である。本実施形態においては、第１実施形態の構成要素と同一のものには同一のを付し、その詳細な説明は省略する。
【００２２】
本実施形態に係るレンズ鏡筒２００には、光軸方向に延伸した円形状の係合突起（突起部）２０４ｃが固定筒２０４に設けられ、係合穴２０３ｅが制御基板２０３に設けられている。また、本実施形態に係るレンズ鏡筒２００は、環状に形成された回転止め部材２０７を備える。回転止め部材２０７の内径は、係合突起２０４ｃと係合し、外径は、係合穴２０３ｅと係合する。制御基板２０３と固定筒２０４との組立において、第１実施形態と同様に制御基板２０３の突出部２０３ｂが固定筒２０４の周溝部２０４ｂに挿入（収納）される。回転止め部材２０７は、制御基板２０３を係合突起２０４ｃと係合穴２０３ｅが重なるまで回転させた位置で、係合突起２０４ｃと係合穴２０３ｅとにそれぞれ係合するように組込まれる。
【００２３】
このような本実施形態によっても、第１実施形態と同様の効果を奏する。さらに、本実施形態によれば、回転止め部材２０７によって制御基板２０３の光軸回りの回転を規制しているため、最初からフレキシブルプリント配線基板２０６の接続作業が行い易く、フレキシブルプリント配線基板２０６の組立順序も限定されなくなる。
【００２４】
なお、本実施形態では回転止め部材２０７を１つ設けたが、これに限定されるものではなく、複数設けても良い。また、回転止め部材２０７と固定筒２０４との係合は、固定筒２０４に設けた係合突起２０４ｃにより行ったが、これに限定されるものではなく、突起の代わりに例えば穴を設け、該穴と回転止め部材２０７を係合させても良い。
【００２５】
以上、本発明の好ましい実施形態について説明したが、本発明は、これらの実施形態に限定されず、その要旨の範囲内で種々の変形および変更が可能である。
【符号の説明】
【００２６】
２００    レンズ鏡筒
２０１    マウント部材
２０２ａ  電気接点部材
２０３    制御基板
２０３ｂ  突出部
２０４    固定筒
２０４ｂ  周溝部
【図１】
2015219426.tif 000003
【図２】
2015219426.tif 000004
【図３】
2015219426.tif 000005
【図４】
2015219426.tif 000006
【図５】
2015219426.tif 000007
【図６】
2015219426.tif 000008